(57)【要約】この発明は、穴あき資料のためのファイル機構（１）に関するものである。前記機構は機構の全域に亘り延びる基板（２）と、相互に間隔を置いて配置され、本質的に基板（２）から垂直に突出する２本の綴じ込みピン（３）と、綴じ込みピン（３）から間隔を置いて配置され、開口位置と閉鎖位置との間で基板（２）に対してほぼ平行である水平軸線の周囲で限定された範囲で揺動でき、移送脚（５、６）が装着された２本の脚状移送フープ（１７）とから成る。閉鎖位置で、前記脚の自由端部は綴じ込みピン（３）の自由端部と接触する。移送脚（５、６）は基板（２）から突出する支持要素（８）に枢着される操作レバー（９）により操作できる。この機構は、支持要素（８）を基板（２）と連結する少なくとも１本の補強要素（１６）を備える。
2005536374.tif 000002
【特許請求の範囲】
【請求項１】
特別に完全に平坦な基板と、相互に離間し、本質的に基板から垂直に突出する綴じ込みピンと、基板に対してほぼ平行で水平な軸線の周囲において、開口位置と閉鎖位置との間で限定されて揺動可能に支持され、閉鎖位置で自由端部が対を成して綴じ込みピンの自由端部に接触する移送脚を有し、綴じ込みピンから離間する２本の脚状移送フープとを備えた穴あき資料のためのファイル機構において、移送脚は、基板から突出する支持要素で揺動可能に支持される操作レバーを介して作動でき、支持要素（８）を基板（２）と連結する少なくとも１本の補強要素（１６）が設けられることを特徴とする前記ファイル機構。
【請求項２】
移送フープ（１７）の移送脚（５、６）はクランク形バー（４）により相互に連結されることを特徴とする請求項１に記載のファイル機構。
【請求項３】
クランク形バー（４）の湾曲部（７）は、スプリング力により移送フープ（１７）の開口方向に作用を受けることを特徴とする請求項２に記載のファイル機構。
【請求項４】
クランク形バー（４）の湾曲部（７）は、固定要素（１１）により移送フープ（１７）の開口方向に対して解放可能に固定できる請求項２または請求項３に記載のファイル機構。
【請求項５】
固定要素（１１）は、操作レバー（９）により解放可能および固定可能であることを特徴とする請求項４に記載のファイル機構。
【請求項６】
固定要素（１１）は、操作レバー（９）のクランク形バー（４）に近接する端部に装着され、または、端部に構成されることを特徴とする請求項５に記載のファイル機構。
【請求項７】
操作レバー（９）は支持要素（８）において、ほぼ水平軸線の周囲で揺動可能に支持されることを特徴とする請求項１乃至請求項６の内の１項に記載のファイル機構。
【請求項８】
支持要素（８）は本質的に基板（２）から垂直に突出し、特に、基板（２）と一体に連結されることを特徴とする請求項１乃至請求項７の内の１項に記載のファイル機構。
【請求項９】
補強要素（１６）は、操作レバー（９）の支持個所（１２）の近傍で支持要素（８）と連結されることを特徴とする請求項１乃至請求項８の内の１項に記載のファイル機構。
【請求項１０】
補強要素（１６）は、クランク形バー（４）の湾曲部（７）の近傍で基板（２）と連結されることを特徴とする請求項２乃至請求項９の内の１項に記載のファイル機構。
【請求項１１】
基板（２）には台要素（１５）が装着され、または、台要素に構成され、補強要素（１６）は台要素（１５）と連結されることを特徴とする請求項１乃至請求項１０の内の１項に記載のファイル機構。
【請求項１２】
補強要素（１６）は基板（２）と一体に構成されることを特徴とする請求項１乃至請求項１１の内の１項に記載のファイル機構。
【請求項１３】
基板は金属から成ることを特徴とする請求項１乃至請求項１２の内の１項に記載のファイル機構。
【請求項１４】
基板はプラスチックから成ることを特徴とする請求項１乃至請求項１２の内の１項に記載のファイル機構。
【請求項１５】
補強要素（１６）は金属ワイヤーであることを特徴とする請求項１乃至請求項１４の内の１項に記載のファイル機構。
【請求項１６】
補強要素（１６）はプラスチックから成ることを特徴とする請求項１乃至請求項１５の内の１項に記載のファイル機構。
【請求項１７】
ファイル背面と、背面において枢動する前後カバーとを備えた穴あき資料のためのファイルにおいて、後カバー（２０）の内側に請求項１乃至請求項１６の内の１項に記載のファイル機構（１）が配置されることを特徴とする前記ファイル。
【請求項１８】
相互に離間し、本質的にファイルの後カバーから垂直に突出する綴じ込みピンと、ファイルの後カバーに対してほぼ平行で水平な軸線の周囲において、開口位置と閉鎖位置との間で限定されて揺動可能支持され、閉鎖位置で自由端部が対を成して綴じ込みピンの自由端部に接触する移送脚を有し、綴じ込みピンから離間する２本の脚状移送フープとを備えた穴あき資料のためのファイル機構を備えたファイルにおいて、移送脚は、ファイルの後カバーから突出する支持要素で揺動可能に支持される操作レバーを介して作動でき、支持要素（８）をファイルの後カバー（２０）と連結する少なくとも１本の補強要素（１６）が設けられることを特徴とする前記ファイル。
【発明の詳細な説明】
【技術分野】
【０００１】
この発明は、特別に完全に平坦な基板と、相互に離間し、本質的に基板から垂直に突出する綴じ込みピンと、基板に対してほぼ平行で水平な軸線の周囲において、開口位置と閉鎖位置との間で限定されて揺動可能に支持され、閉鎖位置で自由端部が対を成して綴じ込みピンの自由端部に接触する移送脚を有し、綴じ込みピンから離間する２本の脚状移送フープとを備えた穴あき資料のためのファイル機構に関し、移送脚は、基板から突出する支持要素で揺動可能に支持される操作レバーを介して作動できる。
【背景技術】
【０００２】
この種のファイル機構は既に長年来周知であり、ファイル背面とファイル背面において枢動される前後カバーとから成るレターファイルにとって規定のものである。その際、ファイル機構は後カバーに装着され、移送フープの開口位置で手頃な穴あき資料が綴じ込みピンの側に出し入れされる。場所を節約する保管のために、レターファイルは、通常、棚内で互いに並べて配置され、個々のファイルは、ラベルのある背面を介して識別され、この棚から簡単に取り出すことができる。
【０００３】
これに関連して、綴じ込みピンが少なくとも部分的に入れる資料の自重を支えなくてはならず、その際、綴じ込みピンは、その自由端部で、支持要素で支えられる固定要素を介して固定される移送脚の押付け力を介してだけで支えなくてはならない。このことは、長期の使用後に支持要素の劣化に至り、綴じ込みピンの曲げに至る。これは、移送フープの閉鎖状態で、綴じ込みピンの自由端部および対応する移送脚が、最早、互いに係合して接触しなくなるという欠点を持つ。それにより、綴じ込みピンから移送脚への資料の移送は著しく悪化される。その上、めくる場合に嵌め込まれた資料の損傷に至る。
【発明の開示】
【発明が解決しようとする課題】
【０００４】
この発明の課題は、特許請求の範囲第１項による種類の装置において上記の問題を除去することである。
【課題を解決するための手段】
【０００５】
この課題は、この発明によると、支持要素を基板に連結する少なくとも１本の補強要素を設けることにより達成される。それにより、支持要素の劣化は、それから生じる押付け力の減少により防止される。レターファイルの自重が負荷される綴じ込みピンの支持は、通常、円錐形に先細りした自由端部において対応する収容部が設けられる移送脚の自由端部との接触により行なわれるので、綴じ込みピンへの移送脚の押付け力の強化が綴じ込みピンの曲げに関する安定性改良に通じる。
【０００６】
移送脚は閉鎖位置で操作レバーに配置された固定要素と摩擦連結し、操作レバーは基板から突出する支持要素で支持されるので、この発明による補強要素は押付け力の最適な補強を生じ、この押付け力により移送脚は綴じ込みピンに押し付けられ、技術水準に対して最早劣化しない支持要素での改良された支持に至る。
【０００７】
この発明の有利な実施例は、移送フープの移送脚がクランク形バーにより相互に連結されることにより生じる。この種のバーは、例えば、金属ワイヤーの曲げ工程により簡単に製造できる。
【０００８】
この発明の別の有利な実施例は、クランク形バーの湾曲部が移送フープの開口方向でスプリング力を受けることにより生じる。これは、移送される資料と共に移送フープの容易な開口を可能にし、それにより、綴じ込みピンへの新しい資料の取り入れが容易にされる。
【０００９】
クランク形バーを備えた実施例では、クランク形バーの湾曲部が移送フープの開口方向に対して固定要素により解放可能に固定できることにより、簡単な閉鎖機構が生じる。固定要素は操作レバーにより解放可能で固定可能であると好ましい。
【００１０】
固定要素はクランク形バーに近接する操作レバーの端部に装着され、または、端部に構成されると都合がよい。固定要素の構成はプラスチック管または溝付きローラを支えるピンとして生じる。このピンは固定要素とクランク形バーとの摩擦を減少する。
【００１１】
この発明の別の有利な実施例では、操作レバーは、ほぼ水平軸線の周囲で支持要素において揺動可能に支持される。これは、取り入れられる資料による妨害がない操作レバーの簡単な操作を許容する。
【００１２】
この発明の別の有利な実施例は、支持要素は本質的に基板から垂直に突出し、特に、基板と一体に連結されることにより生じる。基板との支持要素の一体化構成は、基板から離れて曲げられる舌部として支持要素の簡単な製造を可能にする。
【００１３】
支持個所では湾曲部により及ぼされるトルクが作用するので、支持要素の特に良好な補強は、補強要素が操作レバーの支持個所の近傍で支持要素と連結されることにより生じる。補強要素を出来る限り短く構成するために、補強要素はクランク形バーの湾曲部の近傍で基板と連結されるように設けられる。
【００１４】
この発明の別の有利な実施例は、基板に台要素が装着され、または、台要素に構成され、補強要素が台要素と連結されることにより生じる。それにより、補強要素の剛性は台要素の高さを介して調整される。
【００１５】
この発明の特別簡単な実施例は、補強要素が基板と一体に構成されることにより生じる。この種の基板は、通常、金属板から打ち抜かれるので、補強要素は基板から連行される突出部の形状で基板と共に打ち抜かれ、支持要素の配置後に基板で上へ曲げられ、
支持要素と連結される。また、射出成形法でプラスチックから製造される基板の場合、補強要素は基板と一体に製造できる。
【００１６】
この発明の別の有利な実施例は、補強要素が金属から成ることにより生じる。これは、補強要素の安価な製造を許容し、長い金属ワイヤーが所望の長さに分離される。
【００１７】
この発明の別の有利な実施例では、補強要素がプラスチックから成る。この種の補強要素は、例えば、射出成形法で製造でき、同じく、プラスチックから製造されるファイル機構が生じる。
【００１８】
この発明の別の観点は、ファイル背面と、ファイル背面で枢動する前後カバーとを備えた穴あき資料のためのファイルに関するものであり、後カバーの内側には請求項１乃至請求項１６に記載のファイル機構が配置される。ファイル機構の個々の要素は、基板なしでファイル後カバーに直接に装着することもできる。
【実施例】
【００１９】
この発明の格別の詳細および特徴は図１乃至図４から明らかである。
【００２０】
図１は、ほぼ垂直方向で相互に離間する綴じ込みピン３が上に配置される基板２を備えたファイル機構１を斜視図で示す。同じく、クランク形バー４を介して相互に連結される２本の移送脚５、６から成る移送フープ１７が見える。クランク形バー４は、クランク形バーを越えて延びる舌部材１４を介して基板２に対して平行な水平軸線の周囲で揺動可能に支持される。
【００２１】
クランク形バー４の湾曲部７は、移送フープ１７の開口方向へ、スプリング１３を介してスプリング力で作用を受け、溝付きローラを支えるピンとして構成される固定要素１１により、移送フープ１７の開口方向に対して解放可能に固定される。固定要素１１は操作レバー９の一端部に取付けられる。操作レバー９の他端部１０はグリップ要素として構成される。操作レバー９は、それ自体、支持個所１２を介して水平軸線の周囲で支持要素８に揺動可能に支持される。
【００２２】
この実施例では、支持要素８は基板２と一体に構成され、基板２からほぼ垂直に突出する支持板として構成される。この発明による補強要素１６は操作レバー９の支持個所１２の近傍で支持要素８と連結され、他方、基板２との連結は基板２に配置される台要素１５を介して行なわれているのが分かる。
【００２３】
この発明によるファイル機構の機能を図１で示す実施例で再び説明する。
【００２４】
図１で示す移送フープ１７を閉鎖状態にするため、移送フープ１７の開口位置から出発して、操作レバー９は、その自由端部１０により基板２の方向へ押圧される。支持要素８の支持個所１２での操作レバー９の揺動可能な支持により、操作レバーの他端部と、この実施例では溝付きローラを支えるピンとして構成され、他端部と連結する固定要素１１がクランク形バー４の湾曲部７と共にスプリング要素１３の力に抗して基板２の方向へ下方に揺動され、固定要素１１は頂点を越えて図示の閉鎖位置至る。
【００２５】
それにより、クランク形バー４を介して湾曲部７と連結する移送脚５、６は閉鎖方向へ運動され、移送脚の自由端部が綴じ込みピン３の自由端部に押圧される。
【００２６】
固定要素１１上への湾曲部７の反作用力はトルクを構成し、このトルクは支持個所１２と、支持要素８の自由端部を湾曲部７から押し離そうとする。
【００２７】
これは、この発明によると、引っ張り付勢される補強要素１６により阻止される。それにより、操作レバー９の押し下げの場合にもたらされるエネルギーは移送脚５、６の閉鎖のために完全に使用され、このことは、綴じ込みピン３の自由端部への閉鎖力も、閉鎖後に密着する移送脚５、６の圧力も高める。
【００２８】
補強要素１６がないと、このエネルギーの一部分は支持要素８の変形に費やされ、それで、閉鎖効果および押し付け効果が失われるであろう。
【００２９】
図２（ａ）は、補強要素１６の構成が図１の実施例と異なるこの発明によるファイル機構１の別の実施例を示す。
【００３０】
図２（ａ）で示す実施例では、補強要素１６は点線で輪郭だけを描く長い突出部が、基板と共に打ち抜かれて基板２に固定され、それから、支持要素８に固定される。これは、この発明によるファイル機構１の製造を容易にする。
【００３１】
図２（ｂ）は矢印Ａ方向の図２（ａ）のファイル機構１の側面図を示す。
【００３２】
図２（ｂ）の左には図２（ｂ）の右にある綴じ込みピン３に押圧される移送脚６が見える。同じく、基板２に一体に構成され、支持要素８に固定される対角線に配置される固定要素１６が分かる。
【００３３】
固定の正確な仕方は使用される材料に依存する。例えば、ファイル機構に金属材料を使用する場合、ハンダ結合またはリベット結合が考えられる。この発明によるファイル機構１では、支持要素８を備えた補強要素１６の一体製造も考慮できるであろう。同じく、補強要素１６は支持要素８に接着できるであろう。
【００３４】
この実施例では、固定要素１１は操作レバー９に装着される溝付きローラのあるピンとして構成されるのが分かる。操作レバー９は支持個所１２で支持要素８に揺動可能に配置される。図２（ｂ）では、補強要素１６は、閉鎖過程中および閉鎖状態において、支持要素８と基板２との連結線により延び、図平面から引き出されて示す基板２に平行な軸線の周囲で右方への支持要素８の湾曲を防止する。
【００３５】
図３は、ファイル背面２１と、後カバー２０と、前カバー１９とを備えたレターファイル１８を示す。ファイル背面２１は棚からファイル１８を容易に引き出すための係合孔２２を備える。後カバー２０には、この発明によるファイル機構１が配置される。
【００３６】
図４は、同じく、ファイル背面２１と、後カバー２０と、前カバー１９とを備えたレターファイル１８を示す。図３によるレターファイル１８との相違は、この実施例では基板２がなく、ファイル機構１の個々の要素はレターファイル１８の後カバー２０に直接に装着されているということである。
【図面の簡単な説明】
【００３７】
【図１】この発明によるファイル機構の実施例を斜視図で示す。
【図２】（ａ）は、この発明によるファイル機構の別の実施例を斜視図で示し、（ｂ）は、（ａ）でＡで示す方向に沿った側面図を示す。
【図３】この発明によるファイル機構を持つファイルを示す。
【図４】この発明によるファイルの別の実施例を示す。
【符号の説明】
【００３８】
１    ファイル機構
２    基板
３    綴じ込みピン
４    クランク形バー
５    移送脚
６    移送脚
７    湾曲部
８    支持要素
９    操作レバー
１０  操作レバーの他端部
１１  固定要素
１２  支持個所
１３  スプリング
１４  舌部材
１５  台要素
１６  固定要素
１７  移送フープ
１８  レターファイル
１９  前カバー
２０  後カバー
２１  ファイル背面
【図１】
2005536374.tif 000003
【図２】
2005536374.tif 000004
【図３】
2005536374.tif 000005
【図４】
2005536374.tif 000006
【国際調査報告】
2005536374.tif 000007
2005536374.tif 000008
2005536374.tif 000009
2005536374.tif 000010